(57)【要約】  保温用の熱絶縁性物品（例えばアパレル）はアウターシェル織物とインナー裏地織物の間に入れて、取り外し可能なように装着された熱絶縁性フレキシブルパネルを含む。熱絶縁性フレキシブルパネルは閉止手段を備えた開口を通して挿入されて着脱可能な締め具により所定位置に保持される。熱絶縁性フレキシブルパネルは異なる気象条件に適応する異なる熱価または特性を有するパネルに交換する場合に、または絶縁体を外して物品を洗濯する場合に取り外される。洗濯および乾燥させる場合に熱絶縁性フレキシブルパネルを取り外すことで物品のかさばりが減り、洗濯と乾燥の時間が短くて済む一方で、特に湿度を吸収して洗濯乾燥機の動作による衝撃および伸縮力を受けると凝集する傾向の絶縁材である場合には絶縁体への損傷を防止する。加えてインナー裏地は着脱可能であり、熱絶縁性フレキシブルパネルの取り外し可能な装着用ポーチとなる。
2020503463.tif 000002
【特許請求の範囲】
【請求項１】
縫い目線に沿って相互接続されたアウター織物シェルとインナー織物裏地とを備えた保温用物品であって、内部に画成され、前記アウター織物シェルと前記インナー織物裏地との少なくとも一部の間に形成される空き空間と、前記空き内部空間にアクセスできるようにして、前記空き内部空間は、その内部における所定の位置に装着された絶縁パネル保持手段を有するアクセス閉止手段と、前記空き内部空間内において画成される位置を占めるように構成された１つ以上の熱絶縁性フレキシブルパネルと、を備え、
前記熱絶縁性フレキシブルパネルは、前記空き内部空間に締り嵌めされるための輪郭形状を有し、それぞれの前記熱絶縁性フレキシブルパネルは、前記アクセス保持手段への着脱可能な装着のための取付け手段を有し、前記熱絶縁性フレキシブルパネルのそれぞれは、対向平衡面を備えた熱絶縁性シートを形成するためにダウンで、または結合剤で結合されたダウン混合物で形成されたコアを画成しており、また、軽量であっても前記対向平衡面の間で実質的に一定の熱絶縁性を示し、さらに、前記対向平衡面の少なくとも１つのに装着されたスクリムシートが設けられ、前記熱絶縁性フレキシブルパネルは、間にある熱絶縁パネルを外して、前記アウター織物シェルとインナー織物裏地の洗濯ができるようにするために取り外し可能であり、このことで前記熱絶縁パネルの耐用寿命が伸びる一方で、洗濯乾燥機内の前記保温用物品の負荷および量を減少させる保温用の熱絶縁性物品。
【請求項２】
前記ダウンコアが前記スクリムシートで縫われていない対向面で結合されたコア層を備えたダウンの２枚の異なるシートまたはダウン混合物シートにより形成される２つのコア層から成り、前記２つのコアのうちの１つが化学溶液で処理されているか、または異なるダウン密度で、または前記別の前記層からの混合物で形成されて透湿、防水、防風、脱臭剤の香気、抗アレルギー性、または別の好適な特性の１つ以上から選択される異なる特性を提供する、請求項１に記載の保温用の熱絶縁性物品。
【請求項３】
前記熱絶縁コアが一対のスクリムシートの間に挟まれて閉じ込められた、請求項２に記載の保温用の熱絶縁性物品。
【請求項４】
前記スクリムシートが撥水剤の化学溶液で処理されて前記スクリムシートが透湿性である一方で、水が前記絶縁コア層への水の浸透を防止する、請求項１に記載の保温用の熱絶縁性物品。
【請求項５】
前記スクリムシートまたは前記コアが化学的処理されるか、撥水性、防水性、マイクロアレルギー性、通気性、防火性の特性の少なくとも１つまたは組合せを有する繊維から成り、前記スクリムシートが前記実質的に平行な表面の少なくとも１枚に直接的に粘着する、請求項２に記載の保温用の熱絶縁性物品。
【請求項６】
前記熱絶縁性フレキシブルパネルが前記保温用物品を前記コアまたは前記コアの部分において異なる熱絶縁値を有する物品に変更することが交換可能なパネルである、請求項１に記載の保温用の熱絶縁性物品。
【請求項７】
前記保温用物品がアパレルであり、前記アクセス閉止手段が前記内部空間へのアクセスおよび閉止を提供する着脱可能な締め具またはオーバーラップ材料フラップにより構成される、請求項１に記載の保温用の熱絶縁性物品。
【請求項８】
前記着脱可能な締め具がジッパー締め具、ボタン締め具、ＶＥＬＣＲＯ（登録商標）（面ファスナー）締め具および磁気締め具の１つである、請求項７に記載の保温用の熱絶縁性物品。
【請求項９】
前記着脱可能な保持手段が前記空き内部空間の外周縁の少なくとも幾つかに取り外せないように装着される、請求項１に記載の保温用の熱絶縁性物品。
【請求項１０】
前記着脱可能な保持手段がＶＥＬＣＲＯ（登録商標）（面ファスナー）締め具、磁気締め具、ボタン締め具の１つである、請求項９に記載の保温用の熱絶縁性物品。
【請求項１１】
前記保温用物品が寝袋、コート、ジャケット、ズボン、ベスト、アパレルの１つで構成されて圧縮後に空気を入れることで前記ダウンが急速に回復してダウンの絶縁特性を高める高ロフトポリマー繊維と混合された前記ダウン混合物がダウンから成る、請求項１に記載の保温用の熱絶縁性物品。
【請求項１２】
前記熱絶縁性フレキシブルパネルが前記内部空間の下端内縁に対する当該パネルの縁に装着され、かつ前記空き内部空間を絶縁化するために未使用時は前記下端内縁に沿ったロール状で格納される、請求項１に記載の保温用の熱絶縁性物品。
【請求項１３】
前記熱絶縁性フレキシブルパネルが前記アパレルの前記空き内部空間の少なくとも部分において断熱値を増加させるように畳んで納めることができるように計算された所定のサイズである、請求項１に記載の保温用の熱絶縁性物品。
【請求項１４】
前記スクリムシートが前記対向平行面のそれぞれに結合され、アウター織物シェルに面した前記面の１つの上の前記スクリムシートが防水および／または防風スクリムシートであり、前記インナー裏地に面した前記スクリムシートが通気性スクリムシートである、請求項５に記載の保温用の熱絶縁性物品。
【請求項１５】
保温用の熱絶縁性物品であって、
前記保温用の熱絶縁性物品がアウター織物シェルを備え、インナー織物裏地が前記アウター織物シェルに取り外し可能なように接続され、前記インナー織物裏地が前記アウター織物シェルの内面に対して画成される位置を占めるように構成される１つ以上の熱絶縁性フレキシブルパネルを保持し、前記熱絶縁性フレキシブルパネルのそれぞれは対向平衡面を備えた熱絶縁性フレキシブルシートを形成するためにダウンで、または結合剤で結合されたダウン混合物で形成されたコアを有し、前記熱絶縁性フレキシブルパネルは前記対向平衡面の間で実質的に一定の熱絶縁性を有し、前記熱絶縁性フレキシブルパネルを外してアウター織物シェルの洗濯ができるようにするために前記熱絶縁性フレキシブルパネルを取り外す手段であり、このことで熱絶縁パネルの耐用寿命が伸びて、かつ洗濯乾燥機内の前記保温用の熱絶縁性物品の負荷および量を減少させる保温用の熱絶縁性物品。
【請求項１６】
前記熱絶縁性フレキシブルパネルが前記アウター織物シェルに取り外し可能なように装着され、前記インナー織物シェルが空き内部空間を画成している熱絶縁エンベロープであり、前記熱絶縁性フレキシブルパネルを取り外す前記手段が前記空き内部空間にアクセスできる前記インナー織物シェルに装着された着脱可能な閉止手段により構成され、１つ以上の前記熱絶縁性フレキシブルパネルが前記空き内部空間に保持される、請求項１５に記載の保温用の熱絶縁性物品。
【請求項１７】
少なくとも１つの前記対向平衡面は、その上に装着されたカバーを有し、また、スクリムシートと化学処理された面のうち少なくとも１つで構成される、請求項１６に記載の保温用の熱絶縁性物品。
【請求項１８】
前記スクリムシートまたは前記コアが化学的処理されるか、撥水性、防水性、通気性、防火性の特性の少なくとも１つまたは組合せを有する繊維から成り、前記スクリムシートが前記実質的に平行な表面の少なくとも１枚に直接的に粘着する、請求項１６に記載の保温用の熱絶縁性物品。
【請求項１９】
前記熱絶縁性フレキシブルパネルが前記保温用の熱絶縁性物品を前記コアまたは前記コアの部分において、および／または前記特性のうちの１つの異なる特性において異なる熱絶縁値を有する物品に変更する交換可能なパネルである、請求項１８に記載の保温用の熱絶縁性物品。
【請求項２０】
前記空き内部空間が前記空き内部空間における所定の位置に装着された絶縁パネル保持手段を有し、前記熱絶縁性フレキシブルパネルのそれぞれが保持手段へ着脱可能な装着を行う取付け手段を有する、請求項１６に記載の保温用の熱絶縁性物品。
【発明の詳細な説明】
【技術分野】
【０００１】
本発明は着用者のための熱絶縁性の保温用物品に関し、より詳しくは物品の熱絶縁値を調節するために、および熱絶縁材を洗濯しないようにするためにアウター織物とインナー裏地織物との間に保持されるか、または着脱可能な裏地エンベロープ内に着脱可能に保持される取り外し可能で交換可能な熱絶縁性フレキシブルパネルを含む物品に関する。
【背景技術】
【０００２】
天然繊維のダウンは極めて小さい空気粒子が補足されている複数の触手を備えたクラスター形状であり、優れた熱絶縁特性で知られている。事実、単位質量あたりでは最高の天然絶縁品の１つと考えられており、冬季の屋外用衣服でよく見られる。本出願人による米国特許第６，０２５，０４１号明細書により記載されたようにシート形状ダウンは形状およびロフトを保持しながら軽量であり、その絶縁層全体にわたるシート形状においてダウンの熱価が一定である。これは衣類の製作に使用するのに最高の製品である。
【０００３】
羽毛が充填された衣服を洗濯してダウンが濡れているとダウンは損傷し、その絶縁効率低下の理由としてはダウンのクラスターを傷つける捕集湿度と、石鹸および洗剤の使用で凝集および捕集がおこる洗浄剤などの多くの要因がある。これらの欠陥を克服するために合成繊維が使用されてきたが、合成繊維はダウンと比べて重く、かさばり、不安定であり、ゆるくなっている合成繊維を安定させるために衣料品に裁縫がさらに必要であるという欠点がある。裁縫は衣服のアウター織物シェルとインナー裏地との間にコールドスポットを作り、製作コストを上昇させる。
【０００４】
着用者を、または着用者の身体の一部を防寒する熱絶縁性衣類、寝袋、ブーツ、手袋、その他の断熱衣類は当技術分野で知られている。高温も低温もあり、特に四季がある地域で気温変化する種々の気象条件において例えば衣類であるジャケット、コート、ベストなどにおいても着用者は季節に合わせて衣類を適切に着替えるのが一般的である。また、一定の地域であっても１つの季節の間に気象条件が突然に変わり、極端な温度変化が短い時間内に起こって衣類交換が必要となれば面倒であり、不快であり、費用もかかる。
【０００５】
ボタンまたはジッパー締め具の使用により、変化する気候条件に衣類を適応させるコートまたはジャケット内側のインナー裏地に取付けされた着脱可能なインナー絶縁織布を用いたコートやジャケットの製作は当技術分野で周知である。これらの絶縁性衣類はウール、重布などの織物材料で作られており、着用者はこれらに直接接触して着ている。また、これらは屋外の要因に曝されて汚れることから、定期的な洗濯が必要となり、洗濯の結果として収縮が起きて取付け困難になることがある。加えて、これらは低い断熱値であって雪が降り、温度が氷点下になる極寒の気候地域での使用には不十分であり、限定された温度範囲内での保温性である。加えて、これらの絶縁性衣類は種々の熱絶縁値を有する類似の服と交換可能でない。これらの絶縁性衣類の別の欠点としてはジッパーで装着されている場合に、ジッパーが壊れたらジッパーが修理されるまで取付け可能でないことある。また、修理中は、この衣類を利用することができない。この点は着用者にとって不便であり、多くの場合において絶縁性衣類は簡単に捨てられている。
【０００６】
物品の絶縁値の調節に、または快適さのために温度を調節する温パックまたは冷パックを入れるポケット付きの衣類および羽毛掛布団は従来技術でさらに周知である。これらのポーチの多くは分厚くて、物品に付けた継ぎはぎ細工のようであり、多くのパックは急速に効率が落ちて絶縁性は充分ではない。加えてこれらは分厚いので衣服のファッション性を損なう。
【０００７】
変化する気候条件に適応するように保温用物品を早く変換することができれば有利となる。この点は季節に合わせて作られた衣類などの大部分の保温用物品において複数の理由により可能になっていない。冬用衣類は物品の使用時または洗濯時にアウターシェルとインナー裏地織物との間の変位を阻むためにステッチされたポケットに取り外せないように閉じ込めてあって、ゆるく充てんした絶縁材の保持にアウター織物シェルおよびインナー裏地材料にわたってステッチのパターンにより動かないように安定させた、ゆるく充てんした熱絶縁材を含むことが多い。このことから絶縁性衣類の多くは季節用に作られており、季節が移り変化する季候条件に適応させるためには衣類を着替えなければならず、消費者にとって費用がかさむ。
【０００８】
ゆるく充てんした絶縁材を含んだ衣類および寝袋などの保温用物品におけるもう１つの欠点は、これらを洗濯すると、ゆるく充てんした絶縁材が長時間にわたり湿気を含むので乾燥機内で長時間かけて乾燥させる必要がある。また、残った洗剤もダウンを傷める。ゆるく充てんした絶縁材は凝集してゆく傾向があり、そのために物品の外観が使い古されたよう見えるので耐用年数が短くなる。さらにまた、衣類および寝袋などのゆるく充てんした絶縁材は膨らんだ物品であり、洗濯機または乾燥機内で大きなスペースをとる。この種の熱絶縁材で作られた、この様な物品の問題の解決が望ましい。
【０００９】
保温用物品における別のもう１つの欠点は変化した気候に対してより快適である別の保温用物品に変換することなく、雨、冷気、つかの間の寒暖の差などの気候の変化に適応できないことである。ゲルパックまたは放熱パックが衣類のポケットに挿入された場合の欠点は、これらのパックの効率が数時間以内に徐々に落ちて意図された結果が得られず、通常は使用して４時間から５時間以内に効率が落ちることである。同様に保温用物品の多くは保温用物品のアウターシェルの外面にポケットが備えてあって目障りである。さらにアウターシェルは全ての季節において使用する場合は目障りである。
【発明の概要】
【００１０】
本発明の特徴は、上述した従来技術の上記の欠点を実質的に克服して、望まれる必要な内容を提供する着用者の胴体に関する保温用の熱絶縁性物品を提供することである。
【００１１】
本発明のもう１つの特徴は、個人向けの保温用物品の提供であって、アウター織物シェルとインナー裏地織物の間に装着された１つ以上のインナー着脱可能および交換可能な熱絶縁性フレキシブルパネルの含有またはパネルの取り外し可能なはめ込み式に作られたエンベロープとなる取り外し可能なインナー裏地への組込を行うことである。
【００１２】
本発明のさらなるもう１つの特徴は、変化する気候条件に適応するために、異なる熱絶縁性および別の望ましい特性を有するパネル（単数または複数）により交換可能な熱絶縁性フレキシブルパネル（単数または複数）を提供することである。
【００１３】
本発明のもう１つの特徴は、インナー熱絶縁材がアウターシェルおよびインナー裏地から取り外し可能なように装着され、絶縁体を外して物品を洗うことで絶縁材の耐用寿命が伸びて、物品の汚れている部分のアウターシェルおよびインナー裏地のみのクリーニングが可能である着用者の胴体に関する保温用物品を提供することである。
【００１４】
本発明の別の特徴は、アウターシェルの内側に隠れている取り外し可能熱絶縁性パネルを適応させる場合にも、四季を通して使用続けられアウターシェルの外観調節のない保温用物品を提供することである。
【００１５】
上記の特徴に基づき、また、広範な態様から、本発明は縫い目線に沿って相互接続されたアウター織物シェルとインナー織物裏地とを備えた保温用の熱絶縁性物品を提供する。インナーの画成される空き空間はアウター織物シェルとインナー織物裏地との少なくとも一部の間に形成される。アクセス閉止手段で空き内部空間にアクセスする。空き内部空間は、その内部空間における所定の位置に装着された絶縁パネル保持手段を有する。１つ以上の熱絶縁性フレキシブルパネルは空き内部空間内における画成される位置を占めるように構成される。
【００１６】
熱絶縁性フレキシブルパネルは内部の画成される空間にぴったり合う輪郭形状を有する。それぞれの熱絶縁性フレキシブルパネルは保持手段の専用の箇所へ着脱可能な装着を行う取付け手段を有する。熱絶縁性フレキシブルパネルのそれぞれは対向平衡面を備えた熱絶縁性シートを形成するためにダウンで形成され、または結合剤で結合されたダウン混合物で形成されたコアを有しており、また、軽量であっても対向平衡面の間で実質的に一定の熱絶縁性を示す。スクリムシートは対向平行面の少なくとも一か所に装着される。熱絶縁性フレキシブルパネルは、間にある熱絶縁パネルを外してアウター織物シェルとインナー織物裏地の洗濯ができるようにするために取り外し可能であり、このことで熱絶縁パネルの耐用寿命が伸びる一方で、洗濯乾燥機内の保温用物品の負荷および量を減少させる。
【００１７】
広範な態様に基づき本発明はアウター織物シェルと、それに接続された取り外し可能なインナー織物裏地とから成る保温用の熱絶縁性物品を提供する。インナー織物裏地はアウター織物シェルの内面に対して画成される位置を占めるように構成される１つ以上の熱絶縁性フレキシブルパネルを保持するようになっている。熱絶縁性フレキシブルパネルのそれぞれは対向平行面を備えた熱絶縁性フレキシブルシートを形成させるのにダウンの、または結合剤で結合されたダウン混合物のコアを有する。熱絶縁パネルは対向平衡面の間で実質的に一定の熱絶縁性を有する。少なくとも１つの対向平衡面は、その上に装着されたカバーを有する。熱絶縁フレキシブルパネルを外して、アウター織物シェルの洗濯ができるようにするために熱絶縁性フレキシブルパネルを取り外す手段を設けており、このことで熱絶縁パネルの耐用寿命が伸びて、洗濯乾燥機内の保温用物品の負荷および量を減少させる。
【図面の簡単な説明】
【００１８】
以下、本発明の好適な実施形態について、下記の好適な実施形態の実施例を図示している添付図面を参照して説明する。
【図１】図１は、熱絶縁性パネルがジャケットの内面において着脱可能に装着され、また、別の異なるパネルと交換する時には取り外し可能であり、ジャケットの洗濯時には絶縁パネルを外して行い、その位置が仮想線で示されたジャケット衣類を正面から見た図である。
【図２】図２は、ジャケット背部のアウター織物シェルとインナー裏地織物の間の空間内に装着される取付け手段の付いた大きな絶縁パネルを示す、図１の衣類背部の一部のみの断片的な図である。
【図３】図３は、袖のアウター織物シェルとインナー織物裏地との間の空間アクセス用のジッパー型閉止手段を示すジャケット衣類の袖の透視図である。
【図４】図４は、熱絶縁性袖パネルを装着するために開いた図３の袖を示す透視図である。
【図５】図５は、空間アクセス用にアウター織物シェルをインナー織物裏地に相互接続するジッパー締め具を示す断片的な透視図である。
【図６】図６は、図８で示した熱絶縁パネルの透視図である。
【図７】図７Ａおよび７Ｂは、異なる熱絶縁性および特性を有する２枚の熱絶縁性パネルの構造を示す断片的な横断面図である。
【図８】図８は、ジャケット上方背部部分に装着された断面的な熱絶縁パネルを示しており、一部が断片的なジャケット衣類を背面から見た図である。
【図９】図９は、ベストのアウター織物シェルとインナー織物裏地の間の所定の内部空間に装着された熱絶縁パネルを示す一方で、ジャケットの別の部分では装着された絶縁材が含まれているベスト衣類と袖とに変更させる、着脱可能な袖を伴うジャケットの透視図である。
【図１０】図１０は、アウター織物シェルとインナー織物裏地の間の空き空間アクセス用のジッパー閉止手段によりインナー裏地から部分的に分離されたアウター織物シェルと、空き空間中の熱絶縁パネル取付け用の磁性薄帯締め具の使用状態を示す寝袋を示す透視図である。
【図１１】図１１は、ボタン締め具が空き空間中の熱絶縁パネルの取付け用である、別の型の締め具を示す断片的な透視図である。
【図１２】図１２は、衣類の背面に形成された内部空間の下端縁に沿ってロール状で収納位置に着脱可能に装着された熱絶縁パネルを示す、ベスト衣類を背面から見た断片的な図である。
【図１３】図１３は、アウター織物シェルと、熱絶縁フレキシブルパネルの取り外し可能な位置決め用のエンベロープとなる着脱可能なインナー裏地とで形成されたジャケットを示す断片的な透視図である。
【図１４】図１４は、胴体部分にはネッティングのより糸の間の空き空間を画成するネッティング材料で形成された裏地を有し、アウター織物シェルと、閉止手段を備えた開口を有するネッティングインナー裏地との間にエンベロープが画成され、アウター織物シェルとネッティング裏地の間に熱絶縁パネルの位置決めができて、絶縁パネルはネッティングにある空間により着用者の胴体にさらされる、ジャケットを示す別の透視図である。
【発明を実施するための形態】
【００１９】
ここで図面を参照すると、特に図１、図２、図５において、１０は本発明の衣類であるジャケットを全体的に示しており、ジャケット１０には着脱可能に装着された熱絶縁性フレキシブルパネル１１、正面部分１２、背面部分１３、腕部分１４がある。ジャケット１０の背面部の内面である図２においてよく分かるように、これはステッチドシーム１７に沿って合わせて装着されたアウター織物シェル１５およびインナー織物裏地１６により形成される。空き空間１８はアウター織物シェル１５とインナー織物裏地１６の間に画成される。空き空間１８の内部への開口２７を通してアクセスできるようにするために、図中にジッパー型閉止手段１９として示すアクセス閉止手段は下端のステッチドシーム１７’に隣接して設けられる。
【００２０】
図５は空間１８にアクセスできるジッパー型閉止手段１９の拡大図である。閉止手段は図８に示すように後方フラップ１９’でも形成でき、空き空間１８にアクセスできる内部空間に繋がる開口の縁に沿ってインナー裏地により形成される一方、内部空間に閉じ込められたパネルを保持するのに熱絶縁性パネル１１の縁部を重ねておき、対向されたアウター織物シェル１５およびインナー織物裏地１６により保持される。このことから本発明の広範な態様では、熱絶縁パネルは空き内部空間中の画成される位置の全てを占めることで内部空間に閉じ込められて保持され、また、保持手段は対向されたアウター織物シェルとインナー裏地である。ダウンで形成され非常に軽量の熱絶縁パネルは薄く作られ、空き内部空間中で形状が保持される。
【００２１】
本明細書において製作される衣類であるジャケット１０は空き空間内の所定の位置に取り外せないように装着され、アウター織物シェルまたはインナー織物裏地に装着され、また、周縁２０に沿っており、本明細書において着脱可能な保持手段は磁気誘引性メタルまたは磁性薄帯で構成される。これらは当技術分野で知られている適切な糊により織物材料に接着される。また、磁性薄帯２１は熱絶縁パネル１１に応じて異なる位置で装着することもできる。
【００２２】
さらに図６および図７を参照して熱絶縁パネル１１は合成繊維、羽毛またはこれらの混合物から成る熱絶縁ダウンコア２２により形成され、本出願人による前記明細書に記載された一対のスクリムシート２３および２４に挟まれて閉じ込められる。熱絶縁パネル１１の縁２５には絶縁材２２を閉じ込めるためにバインダー溶液を吹き付け、糊付け、または別の好適な手段を用いてダウンシートの縁２５を融着してスクリムシートを縫い合わせる。
【００２３】
図７Ａおよび図７Ｂは異なる熱絶縁性を有するパネルの２つの異なる厚さを示す。図７Ｂは下記に記載されるような、パネル１１’の対向側に異なる特性を提供するダウンの２枚のシート２２’および２２”で形成されたパネルを示す。図示したようにパネル１１のそれぞれは全体にわたって実質的に一定の厚さである。パネルの好ましい形態はダウンで作られ、商標名の「ＴＨＩＮＤＯＷＮ」（登録商標）で識別され、本出願人による米国特許第６，０２５，０４１号および第９，３８０，０４１号明細書に記載された製品を識別する。熱絶縁パネルは保温用物品の分野で使用され、特に肘とか脇の下などの動き、または伸縮することが見込まれる箇所などで使用され、ジャケット１０の袖の部分１４にあるような伸縮性ダウンパネルから成る。さらにパネルは合成の毛羽立ち繊維とのダウン混合物で形成される。
【００２４】
熱絶縁フレキシブルパネル１１と１１’およびスクリムシート２３と２４は、目的の用途に合わせて様々な特性を提供する化学溶液で処理される。加えてスクリムシートは種々の不織布、ポリエステル、ナイロンなどで形成され、かつ洗濯中または操作中に微小のダウン粒子または合成繊維の粒子が漏れるのを防いでいる。このスクリムシートは熱活性化または圧力活性化の好適な糊を用いてダウンコア２２の対向表面に糊付けされる。スクリムシートによりパネルに寸法安定性が与えられて裁断、裁縫、取扱いが容易になる。
【００２５】
ダウンのコア２２はコアのロフトを高めるためにダウンと「ＰＯＬＹＤＯＷＮ」（登録商標）の混合物で作られ、コアにより多くの空気が入り、圧縮時に反発する。混合物の比率は熱絶縁フレキシブルパネル１１の目的の絶縁値または用途に合わせて計算される。このパネルが保温用物品において大きな空間を占めるように作られており、その位置の保持に縫い合わせを必要とせずに、保持される織物および絶縁材の全体にステッチのパターンが形成されているのでコールドスポットを形成させない。このパネルは膨らみの少ない、絶縁材を保持するステッチのパターンの無い、種々のファッション性のある外観をした羽毛で充填された衣類のデザインおよび製作を可能にする。
【００２６】
図７Ｂに示すように種々の化学溶液で処理されたコア層のうち少なくとも１枚と接着または融着され、ダウンまたはダウン混合物の種々の混合である２枚のコア層２２’および２２”があり、ジャケット、ベスト、コートなどの保温用物品の場合はアウターシェル１５と接触している片側と、インナー裏地１６と接触している別の側である対向側（複数）に異なる特性を提供する。例えば対向側（複数）は着用者の身体から湿気が除去するように処理でき、また、対向側において外側は防水および／または防風処理される一方でコア内部から湿気を除去する。
【００２７】
また、スクリムおよび／またはコアには脱臭剤の香気、殺菌剤または殺虫剤またはマイクロアレルギー性溶液またはこれらの組み合わせの含浸が可能である。当然ながらスクリムシート２３および２４は同様な処理がされ、防水および水蒸気透過において同様の特徴を備える材料から選択される。コア表面には化学溶液を吹き付けることで、より安定化させてスクリムシートを不要にする。また消防服または裏地の用途に難燃剤を用いたスクリムおよび／またはコアの処理も考えられる。このことから複合絶縁パネルは例えば夏用または冬用衣類、これらの防風または防水などの様々な用途および気象条件に適応するように衣類のアウター織物シェルを変更できることも指摘したい。
【００２８】
１つの好適な実施形態では、パネル１１にはアウター織物シェル１５とインナー織物裏地１６の間の空き空間１８内に配置された磁気吸引金属薄帯２１と対応をとり、磁気による保持のためのフレキシブル金属薄帯２６の形態をした本明細書の取付け手段が付いている。図２に示す熱絶縁パネル１１は空間１８にジッパー型閉止手段１９を開いて挿入され、アウター織物シェルおよびそのインナー裏地を裏返し、磁気薄帯２１と対応をとる金属薄帯２６の位置決めをして熱絶縁パネル１１を取付ける。着脱可能な保持手段および取付け手段はＶＥＬＣＲＯ（登録商標）（面ファスナー）薄帯、ボタン、取付けループ、スナップ締め具または別の好適な取付け具などの別の型の着脱可能な締め具でも構わないと指摘したい。熱絶縁パネル１１が装着されると、ジッパー型閉止手段１９はアクセス開口２７を閉じる。
【００２９】
図３および図４は図１のジャケット１０の腕部分１４の構造を示しており、袖１４の脇の下３１に配置されたジッパー型閉止手段３０が付いており、図４に示すようにジッパーが閉まっていない時には袖パネル（図示なし）を取付ける磁気薄帯またはタブ２１が現れる。
【００３０】
図８はジャケット１０の背面部分１３の断片的な図であり、図２の熱絶縁パネル１１が図６で示した分割型の熱絶縁パネル３２で交換され、磁気薄帯２１に取付けられているがジャケットの後部の上部のみをカバーして着用者の背中の上の部分を保温する。分割型の熱絶縁パネル３２は先に述べたパネル１１よりも薄くできており、断熱性は弱い。典型的には約０カ氏温度の寒さでは上記で参照した薄いダウンパネル１１の重さは１平方メートル当たり約６０グラムであり、また、約マイナス２０カ氏温度の寒さでは二倍の重さの約１平方メートル当たり約１２０グラムになる。ユーザは異なる密度のパネルを分離したパネルとして利用して季節により変更させるか、またはユーザが旅行を検討している場所または国に合わせられる。このことから記載された型の一枚のジャケットのアウターシェルは変化する気候条件に、または低い気温あるいは高い気温の異なる旅行先に適応するために二着または三着の異なるジャケットの代わりに使用できることが分かる。たった一着のジャケットで異なる気象条件にも適応できるので旅行の際に持参するのはアウター織物シェルと、熱絶縁値および／または特性が異なる数枚の熱絶縁フレキシブルパネルとが必要なだけであり、荷物の量を少なくする。
【００３１】
図８をさらに参照して熱絶縁パネル３２が空き内部空間１８を十分に占めないときには、磁気薄帯２１などの取付け手段が必要となることを指摘したい。内部空間１８の全体を占めさせるパネルとしてインナー裏地にあるオーバーラップフラップ１９’は、アウター織物シェルとインナー裏地と組み合わせて、それらの間に挟まれた熱絶縁パネルの保持手段としては十分である。空き内部空間の画成される内側部分において断熱値を倍増させるように、熱絶縁パネルは畳んで納めることができると指摘したい。これには全空間を占める２枚のパネルが必要である。
【００３２】
図９はジャケット３５の分解された断片的な透視図であり、袖３６が胴体部分３７から着脱可能で、ジャケットがベスト衣類に変更される。着脱可能な袖３６はインナー絶縁パネル３８の取り外しとパネル３８の挿入とを易しくしている。ベストまたは胴体部分３７は本明細書においてデザインが表現され、この部分のみが取り外し可能な絶縁パネル３９を含んでおり、この部分へは好適な開口経由でアクセス可能であり、また、ジッパー１９’または、ホック、ＶＥＬＣＲＯ（面ファスナー）閉止、ボタンによる閉止などの別の型の閉止手段で閉じられる。
【００３３】
ここで図１０および図１１を参照すると、保温用物品が寝袋４０で構成される別の実施形態が示されている。アウター織物シェル４１とインナー織物裏地４２との間に配置され、また、当技術分野で一般的なテッチ縫い目により取り外せないように装着され、ゆるく充てんした絶縁材の代わりに上記の型の交換可能な熱絶縁性パネルを受け止めるように構成することもできる。ここで表せられるように寝袋４０の側部にはインナー裏地４２の対向部分４２’に着脱可能に装着されたアウター織物シェル４１の部分４１’がある。これらの部分４１’および４２’は上記の、および１つ以上のジッパー４３により示される閉止手段で着脱可能に装着される。磁気薄帯４４の形態をした着脱可能な保持手段は、本明細書に示すようにインナー織物の内面の外周縁に隣接して取り外せないように装着される。この実施形態では必須ではないが図７Ｂに示すような複合熱絶縁フレキシブルパネル１１’の提供が好ましく、上記の１つ以上の特性を、また、多くの場合においてはパネルの防水性および通気性を提供する。
【００３４】
図１１は熱絶縁パネル４８の外縁に沿って装着された本明細書のボタン４９の形態をして、磁気薄帯４４を交換するループ５０が係合される所定の位置に配置された着脱可能な保持手段の別の形態を示す。部分４１’および４２’が図１０に示したように開かれると、矢印４５で示されるアクセス領域を通り抜けてこれらの部分が裏返しされると望ましい熱絶縁パネル（図示なし）が取付けられてジッパー（単数および複数）が再び閉じられる。熱絶縁フレキシブルパネルは図７Ｂに示すようにパネルを使用してカスタマイズできる。これにより寝袋は熱絶縁パネルを変換することで異なる気象条件に適応できる。
【００３５】
ここで図１２を参照すると、アクセス開口に隣接する縁５３に沿って熱絶縁パネル５２が取り外せないように装着され、また、先に記載したさらなる着脱可能な保持手段５４によりロール状で格納位置に保持されるベスト衣類５１の断片的な図を示している。物品としてはアパレルの外観を損なうことなく格納できるジャケット、コート、または別の型の保温用物品でもよい。空き内部空間１８に配置された使用位置にパネル５２を位置決めする必要がある時には保持手段５４を離して、パネルは間隙部に装着されて所定の位置に配置された別の着脱可能な保持手段２１により保持される。
【００３６】
ここで図１３を参照すると、本明細書においてジャケット、寝袋、コート、ベストなどである保温用物品のインナー裏地６０はインナー織物シェルとして形成され、また、本明細書に示すジッパー６０などの好適な締結手段により着脱可能である本発明のさらに別の実施形態が示されている。着脱可能なインナー裏地はアウター織物シェル６２に直接装着され、エンベロープの対向織物シート６３と６３’との間に空き空間６４を画成しているエンベロープを形成する外周縁において相互接続された好適な対向織物シート６３および６３’により形成され、本明細書のジッパー型閉止手段６６の閉止部材経由でアクセス可能な開口６５を通して１つ以上の熱絶縁性パネル１１または１１’を受け止める。取り外し可能なインナー裏地を備える利点は熱絶縁フレキシブルパネル１１と１１’の挿入および取り外しが容易なり、インナー裏地を外したアウター織物シェルおよびパネルを外したインナー裏地シェルの洗濯ができる点である。取付け部材６７は本明細書の図１から図４および図１０を参照して記載されているように、パネルに装着された相補的装着部材を受け止めるインナー裏地シェルのエンベロープ内側に装着される。
【００３７】
図１４は当技術分野で周知のインナー裏地７０がネッティング材料で形成されている本発明のさらに別の実施形態を示す。ネッティング７０は繊維または糸７２がネット状に編まれた間に開口（複数）７１を形成して、着用者の体に対してより直接的に熱絶縁パネルを露出する。かかる用途ではネッティング材料裏地に面している熱絶縁フレキシブルパネルの側にはスクリムシートは必要とされない。インナー裏地７０のネッティング材料は熱絶縁フレキシブルパネル１１または１１’を防護している。この様なネッティング材料は図１３の着脱可能な裏地エンベロープの織物シート６３として使用できる。
【００３８】
本明細書に記載されるスクリムシート６６の種々の特性の多くは当技術分野で現在入手可能な材料によって提供されると指摘したい。しかし異なる気象条件に適応するために保温用物品を変更する絶縁パネルになる熱絶縁材料を提供し、また、本明細書に記載される複数の特性をさらに提供するコアと組み合わせで利用されない。
【００３９】
本発明の保温用物品の多くの利点の中での１つのとしては物品の汚れで洗濯を必要とする時には熱絶縁パネル（単数および複数）は洗濯の必要が無いので取り外され、保護しているアウターシェルおよびインナー裏地が汚れる部分であり、この部分を洗濯する点である。
【００４０】
これによる利点としては洗濯機および乾燥機に入れられた物品はかさばりが少なく、僅かな空間しか占有しない。加えて絶縁パネルが取り外されているので乾燥が早い。絶縁材の乾燥時間はアウターおよびインナー織物よりもはるかに長く、絶縁材を洗濯すると洗濯乾燥機内で衝撃および伸縮力を受けてパネルを損傷する可能性がある。結果としてパネルを取り外すことで熱絶縁性の保温用物品の耐用寿命が延びる。加えてパネルが本明細書に記載される特性をさらに提供するように処理または構成されている場合には、熱絶縁パネルは使用中に保護されており、また、露出もされていないので洗濯しないことが好ましい。
【００４１】
明らかな変更、または別の保温用物品を包含して本発明の範囲内であり、本明細書に記載される取り外し可能で交換可能な熱絶縁性フレキシブルパネルを僅かな例であるがブーツ、ズボン、手袋、帽子などの構造において含むことが望ましい。従って添付の特許請求の範囲内に含まれ得る全ての変更は本発明の範囲内にある。
【図１】
2020503463.tif 000003
【図２】
2020503463.tif 000004
【図３】
2020503463.tif 000005
【図４】
2020503463.tif 000006
【図５】
2020503463.tif 000007
【図６】
2020503463.tif 000008
【図７Ａ】
2020503463.tif 000009
【図７Ｂ】
2020503463.tif 000010
【図８】
2020503463.tif 000011
【図９】
2020503463.tif 000012
【図１０】
2020503463.tif 000013
【図１１】
2020503463.tif 000014
【図１２】
2020503463.tif 000015
【図１３】
2020503463.tif 000016
【図１４】
2020503463.tif 000017
【国際調査報告】
2020503463.tif 000018
2020503463.tif 000019
2020503463.tif 000020